(57)【特許請求の範囲】
【請求項１】
マイクベース部およびマイクヘッド部が衣服を貫通するピンにより互いに連結されて前記衣服に固定されるとともに、前記ピンにより前記マイクベース部および前記マイクヘッド部を電気的に接続されるマイクロホンであって、
前記マイクベース部または前記マイクヘッド部の一方に前記ピンの３本を立設するとともに、前記マイクベース部または前記マイクヘッド部の他方に前記ピンの３本をそれぞれ挿入されて電気的に接続する３つのピン受けを設け、
前記ピンの３本は、それぞれが前記マイクヘッド部に前記マイクベース部から電源を供給する接点、前記マイクヘッド部と前記マイクベース部のアースの接点、または、前記マイクヘッド部から前記マイクベース部に音声信号を出力する接点、のいずれかを構成することを特徴とするマイクロホン。
【請求項２】
前記ピンの３本を非回転対称の位置に立設することを特徴とする請求項１に記載のマイクロホン。
【請求項３】
前記ピンの少なくとも１つを前記ピン受けから抜けないようにロックするロック機構を備え、
前記ロック機構は、弾性部材と、前記弾性部材によって前記ピン受け方向に付勢された楕円形状の回転軸と、前記回転軸を該回転軸と一体となって回動させるレバーとを有していることを特徴とする請求項１または２に記載のマイクロホン。
【請求項４】
前記ピンの１本または２本の長さを他のピンの長さよりも長くしたことを特徴とする請求項１ないし３のいずれかに記載のマイクロホン。
【発明の詳細な説明】
【０００１】
【発明の属する技術分野】
本発明は、マイクロホンに関し、詳しくは、マイクをベース部とヘッド部とに分離して衣服の表裏に位置する状態で電気的に接続させるとともにその衣服に固定するものに関する。
【０００２】
【従来の技術】
従来より、放送局のスタジオなどでは、図４に示すように、超小型のコンデンサーマイクユニットにケースを装着した小型のマイクロホン１１０を、衣服に取り着けてニュースやドラマなどの集音に利用しており、このマイクロホン１１０では、音声信号の出力ケーブルＣは本体下部から延長されている。
【０００３】
このマイクロホン１１０では、出力ケーブルＣが衣服の外側で目立つことがあることから、図５に示すように、マイクロホン１２０をヘッド１２１とベース１２２とに分離して、そのヘッド１２１に立設した衣服Ｗ（図６に図示）を貫通する接点ピン１２３、１２４を、ベース１２２に形成したピン受け１２５、１２６に挿入することにより、ヘッド１２１とベース１２２とを電気的に接続すると共に、その衣服Ｗに固定することができるように工夫することが考えられる。
【０００４】
このマイクロホン１２０では、図６に示すように、衣服Ｗの外側にはヘッド１２１のみが着いている状態とすることができ、ベース１２２や出力ケーブルＣは衣服Ｗの内側にすることができる。
【０００５】
なお、マイクロホン１１０、１２０は、出力ケーブルＣを、ワイヤレスマイクの送信機に接続したり、有線でマイクアンプの入力に接続して用いられている。
【０００６】
【発明が解決しようとする課題】
しかしながら、このような従来の分離型のマイクロホン１２０にあっては、衣服Ｗに貫通させた２本の接点ピン１２３、１２４によりヘッド１２１とベース１２２とを連結していたので、安定して衣服Ｗに装着した状態を保持するには難点があり、また、接点ピン１２３をピン受け１２６に、接点ピン１２４をピン受け１２５に反転させて挿入してしまう恐れもある。さらに、構造を簡単にするために、ヘッド１２１に内装するＦＥＴのドレイン側から高インピーダンスで音声出力信号を取り出していたので、周囲のノイズを拾い易いという問題があった。
【０００７】
本発明は、このような問題を解決するためになされたもので、分離型のマイクロホンにおいて、安定して衣服に固定することができると共に、周囲のノイズに影響されない優れたマイクロホンを提供するものである。
【０００８】
【課題を解決するための手段】
本発明のマイクロホンは、マイクベース部およびマイクヘッド部が衣服を貫通するピンにより互いに連結されて前記衣服に固定されるとともに、前記ピンによりマイクベース部およびマイクヘッド部を電気的に接続されるマイクロホンであって、前記マイクベース部または前記マイクヘッド部の一方に前記ピンの３本を立設するとともに、前記マイクベース部または前記マイクヘッド部の他方に前記ピンの３本をそれぞれ挿入されて電気的に接続する３つのピン受けを設け、前記ピンの３本は、それぞれが前記マイクヘッド部に前記マイクベース部から電源を供給する接点、前記マイクヘッド部と前記マイクベース部のアースの接点、または、前記マイクヘッド部から前記マイクベース部に音声信号を出力する接点、のいずれかを構成することを特徴としている。
【０００９】
この構成により、マイクベース部およびマイクヘッド部は、３本のピンを衣服に貫通させてピン受け内に挿入することによりその衣服に固定することができるとともに電気的に接続することができ、この３本のピンのそれぞれが電源供給の接点、アースの接点、または、音声信号出力の接点を構成することができる。したがって、分割型の小型のマイクロホンであっても、音声信号出力のインピーダンスを低く抑えることができ、外部からの誘導ノイズなどの影響を受け難くして、周囲のノイズに影響されないようにすることができる。
【００１０】
ここで、前記ピンは、３本１組なので、均等間隔で直線状に並ぶ以外の非回転対称の位置に配置するだけで、誤ったピン受け内に挿入されることがないようにすることができ、また、不用意に脱落してしまうことがないように、前記ピンの少なくとも１つを前記ピン受けから抜けないようにロックするロック機構を備え、前記ロック機構は、弾性部材と、前記弾性部材によって前記ピン受け方向に付勢された楕円形状の回転軸と、前記回転軸を該回転軸と一体となって回動させるレバーとを有しているのが、好ましい。
【００１１】
さらに、前記ピンの１本または２本の長さを他のピンの長さと変えることにより、３本を同時に衣服を貫通させるときよりも少ない抵抗で衣服を貫通させることができ、位置合わせもし易くなる。
【００１２】
【発明の実施の形態】
以下、本発明を図面に基づいて説明する。図１〜図３は本発明に係るマイクロホンの一実施形態を示す図である。
【００１３】
図１において、マイクロホン１０は、衣服Ｗ（図２に図示）の外側に位置するマイクヘッド部１１と、衣服Ｗの内側に位置するマイクベース部３１とを組み立てて使用するように小型に構成されており、マイクヘッド部１１は、大きめに開口されて網を張られた音孔１２から集音するアナウンサーなどの音声を、図２および図３に示すように、内装するコンデンサマイク１３およびＦＥＴ１４で拾って信号に変換する一方、マイクベース部３１は、マイクヘッド部１１からの音声信号を受け取って出力ケーブルＣに出力する。なお、マイクロホン１０は、出力ケーブルＣに音声信号を出力する有線の形態を採用するが、ワイヤレスに構成してもよいことはいうまでもない。
【００１４】
このマイクロホン１０は、マイクベース部３１に衣服Ｗを貫通させる接点ピン３６〜３８を立設する一方、マイクヘッド部１１にその接点ピン３６〜３８を挿入されるピン受け１６〜１８が形成されており、接点ピン３６〜３８は長さが異なるように、例えば図２に示すように、接点ピン３８を他の接点ピン３６、３７（３７は不図示）よりも長く形成して、接点ピン３８が早く衣服Ｗを貫通するように設計されている。したがって、接点ピン３６〜３８を同時に衣服Ｗを貫通させる場合よりも抵抗なく接点ピン３８から接点ピン３６、３７へと順次に貫通させることができ、マイクロホン１０の位置合わせも容易に行うことができる。なお、接点ピン３６、３７の長さも変えてもよいことはいうまでもない。
【００１５】
また、接点ピン３６〜３８とピン受け１６〜１８は、図２に示すように、衣服Ｗを貫通して挿入されてくる接点ピン３６、３７が、ピン受け１６、１７の一対の接続片１６ａ、１７ａ（１７ａは不図示）を押し広げるように差し込まれて機械的に連結保持される一方、接点ピン３８は、後述するロック機構によりピン受け１８の接続片１８ａに押し付けられて連結保持され、それぞれが電気的に接続される。したがって、接点ピン３６〜３８をピン受け１６〜１８に挿入するだけで、マイクヘッド部１１とマイクベース部３１とを電気的に接続する状態で連結してマイクヘッド部１１からの音声信号をマイクベース部３１を介して出力ケーブルＣに出力することができ、また、その衣服Ｗにマイクヘッド部１１とマイクベース部３１を３組の接点ピン３６〜３８とピン受け１６〜１８との連結により２組の場合よりも強固に固定することができる。
【００１６】
マイクヘッド部１１とマイクベース部３１は、接点ピン３６〜３８とピン受け１６〜１８とを三角形の頂点に位置するように設けられて（非回転対称に形成されて）、一対一に対応する組合せでのみ連結させることができようになっており、接点ピン３６〜３８とピン受け１６〜１８により構成される接点のそれぞれに、マイクベース部３１（出力ケーブルＣ）を介してマイクヘッド部１１のＦＥＴ１４に電源を供給する接点、マイクヘッド部１１とマイクベース部３１のアースをとるための接点、マイクヘッド部１１のＦＥＴ１４からマイクベース部３１に音声信号を出力する接点を構成させることができる。したがって、マイクヘッド部１１またはマイクベース部３１の一方を相対回転させた状態では、接点ピン３６〜３８をピン受け１６〜１８に挿入することを不能にして、接続ミスを未然に防止することができ、また、マイクヘッド部１１内のＦＥＴ１４のソース側から音声信号を低インピーダンスで出力することにより外部からの誘導ノイズに強くすることができる。
【００１７】
そして、マイクヘッド部１１は、外装カバーの側面に設けられた回動軸２１ａと一体的に回動するように、その回動軸２１ａに一端側を支持されたレバー２１が配置されており、このレバー２１の回動軸２１ａは、図２に示すように、スプリングやバネなどの弾性部材２２によりピン受け１８の接続片１８ａ方向に付勢されている楕円形状の回転軸２３を、一体的に同軸回転するように連設されている。このため、レバー２１を図１中の破線で示す位置から実線で示す位置に回動させたときには、図２に示すように、楕円形状の回転軸２３がピン受け１８の接続片１８ａを長径側の周面によってより強く押圧する状態に維持することができ、その接続片１８ａが接点ピン３８に圧接して機械的に強く接合し使用中に抜けることがないようにロックすることができる。すなわち、レバー２１と回転軸２３がロック機構を構成している。なお、図２中のリブ２４は、回転軸２３の反対側に立設されており、その回転軸２３に押されるピン受け１８の接続片１８ａが逃げてしまうことを制限する。
【００１８】
このように本実施形態においては、マイクヘッド部１１およびマイクベース部３１は、三角形の頂点に位置するように配置させた接点ピン３６〜３８とピン受け１６〜１８とにより、接続位置を間違えることなく、衣服Ｗに強固に固定するとともに電気的に接続することができ、電源供給の接点、アースの接点、および音声信号出力の接点のそれぞれを確保して音声信号出力のインピーダンスを低く抑えることにより、外部からの誘導ノイズなどの影響を受け難くすることができる。また、レバー２１と回転軸２３のロック機構により、ピン受け１８の接続片１８ａが接点ピン３８を締め付けてロックすることができる。したがって、マイクヘッド部１１およびマイクベース部３１を分離して組み立てる小型のマイクロホン１０であっても、不用意に脱落してしまうことがないように衣服Ｗに取り付けて、周囲のノイズに影響されることを少なくアナウンサーなどの音声を拾うことができる。
【００１９】
【発明の効果】
以上説明したように、本発明は、３本のピンが衣服を貫通してマイクベース部およびマイクヘッド部を連結することにより、衣服に固定することができると共に電気的に接続することができ、このピンの３本が、それぞれ、電源供給の接点、アースの接点、音声信号出力の接点を構成することにより、音声信号出力のインピーダンスを低く抑えることができ、周囲のノイズに影響されないという優れた効果を有するマイクロホンを提供することができる。
【００２０】
また、３本のピンを非回転対称の位置に配置することにより、誤接続を防止するというマイクロホンを提供することができる。
【図面の簡単な説明】
【図１】本発明に係るマイクロホンの一実施形態を示す図であり、その外観を示す分解斜視図である。
【図２】その組立使用時の側面透視図である。
【図３】その組立使用時の回路図である。
【図４】その従来技術を示す斜視図である。
【図５】その図４と異なる従来技術を示す分解斜視図である。
【図６】その組立使用時の側面図である。
【符号の説明】
１０ マイクロホン
１１ マイクヘッド部
１２ 音孔
１６〜１８ ピン受け
１６ａ〜１８ａ 接続片
２１ レバー
２２ 弾性部材
２３ 回転軸
２４ リブ
３１ マイクベース部
３６〜３８ 接点ピン
Ｃ 出力ケーブル
Ｗ 衣服
【図１】
0003853547.tif 000002
【図２】
0003853547.tif 000003
【図３】
0003853547.tif 000004
【図４】
0003853547.tif 000005
【図５】
0003853547.tif 000006
【図６】
0003853547.tif 000007